(57)【特許請求の範囲】
【請求項１】
下蓋部の一端に、下蓋部上へ折り重ねられる上蓋部が連接されていると共に、下蓋部の他端に、下蓋部上へ折り返すことで、上記折り重ねられる上蓋部と下蓋部の間へ挟み込まれる収納部が連接されており、
この収納部は、底辺側が下蓋部に連接された略三角形状をなし、ディスクが載置される受け部と、受け部の一方の斜辺に連接され、受け部上に折り返されて、受け部上のディスクに被さる第１保持片と、受け部の他方の斜辺に連接され、受け部上に折り返されて、ディスク上に被さった第１保持片上からディスクに被さる第２保持片とを有し、
更に第２保持片は、上記第１保持片上からディスクに被さった状態でディスクの下側に折り込まれる折り込み片を有することを特徴とするディスクケース。
【請求項２】
受け部の下蓋部側に、切り込みを介して受け部から押し出されて、折り込み片をディスクの下側に折り込んだ第２保持片上に被さる押え片が形成されていることを特徴とする請求項１のディスクケース。
【請求項３】
第１保持片と第２保持片を受け部上へ折り返す各折り返しラインが、受け部上に載置されたディスクの周縁にほぼ接していることを特徴とする請求項１又は２のディスクケース。
【請求項４】
第１保持片と第２保持片を受け部上へ折り返す各折り返しラインの中間部にスリットが夫々形成されていることを特徴とする請求項１又は２のディスクケース。
【請求項５】
スリットが、受け部上に載置されたディスクの周縁部が差し込まれるもので、しかも外方に凸形状をなしていることを特徴とする請求項１又は２のディスクケース。
【請求項６】
折り込み片をディスクの下側に折り込む折り返しラインが、第２保持片を受け部上へ折り返した状態において、受け部上に載置されたディスクの周縁にほぼ接していることを特徴とする請求項１〜５いずれかのディスクケース。
【請求項７】
上蓋部には、ほぼ中央部に外窓が設けられ、受け部のディスク載置位置には、収納部が下蓋部と上蓋部間に挟み込まれた時に上蓋部の外窓とほぼ重なる内窓が設けられていることを特徴とする請求項１〜６いずれかのディスクケース。
【請求項８】
１つの下蓋部に対して複数の収納部が並列して夫々連接されていることを特徴とする請求項１のディスクケース。
【請求項９】
収納部が折り返された下蓋と、下蓋上に折り返された上蓋間を止める蓋止め手段が設けられていることを特徴とする請求項１のディスクケース。
【発明の詳細な説明】
【０００１】
【発明の属する技術分野】
本発明は、例えばコンパクトディスク（ＣＤ）、ミニディスク（ＭＤ）、レーザーディスク（ＬＤ）等の光ディスクを初めとして、レコード盤や磁気ディスク等のディスクを収納するための簡易なディスクケースに関する。
【０００２】
【従来の技術】
従来、ディスクを雑誌や書籍に付帯させる場合、持ち運び時のディスクの脱落や書店店頭でのディスクの抜き取り防止のため、雑誌や書籍に綴じ込まれた簡易なディスクケースにディスクを封入しておくことが行われている。このディスクケースとしては、ディスクの保護も兼ねて、厚紙製のものが多く使用されている。例えば、２枚の厚紙の一方の内面側にディスクを収納する凹部を形成すると共に、他方の厚紙にディスク中央のラベル部分を露出させる窓部を形成しておき、凹部の周囲に接着剤を塗布し、凹部内にディスクを入れた後、２枚の厚紙を貼り合わせて密封したものが知られている。また、貼り合わせた厚紙間からディスクを取り出しやすくするために、ディスクを収容する凹部部分を開封するためのミシン目を形成したものも知られている。
【０００３】
【発明が解決しようとする課題】
しかしながら、上記従来のディスクケースの場合は、収納したディスクの周囲を接着剤で貼り合わせることから、接着剤の塗布工程が必要となり、しかもディスクの収納部分を残して周囲に接着剤を塗布するために、接着剤の塗布工程が煩雑になる問題がある。また、接着剤を用いる場合、接着剤の乾燥状態に合わせて貼り合わせ作業を進める必要があり、ディスクの封入に手間がかかる問題がある。
【０００４】
本発明は、上記接着剤を用いて密封する方式の従来のディスクケースの問題点に鑑みてなされたもので、基本的に接着剤による封止を行うことなくディスクの脱落や抜き取りを確実に防止できるディスクケースとすることを目的とする。
【０００５】
【課題を解決するための手段】
このために本発明で講じられた手段を一実施例に対応する図１で説明すると、本発明では、下蓋部１の一端に、下蓋部１上へ折り重ねられる上蓋部２が連接されていると共に、下蓋部１の他端に、下蓋部１上へ折り返すことで、上記折り重ねられる上蓋部２と下蓋部１の間へ挟み込まれる収納部３が連接されており、
この収納部３は、底辺側が下蓋部１に連接された略三角形状をなし、ディスク４が載置される受け部５と、受け部５の一方の斜辺に連接され、受け部５上に折り返されて、受け部５上のディスク４に被さる第１保持片６と、受け部５の他方の斜辺に連接され、受け部５上に折り返されて、ディスク４上に被さった第１保持片６上からディスク４に被さる第２保持片７とを有し、
更に第２保持片７は、上記第１保持片上６からディスク４に被さった状態でディスク４の下側に折り込まれる折り込み片８を有するディスクケースとしているものである。
【０００６】
【発明の実施の形態】
図１〜図５に基づいて本発明に係るディスクケースの一例を説明する。
【０００７】
図１は展開状態を示す平面図である。本ディスクケースは、一般的には厚紙で構成されるもので、図１中、中央が下蓋部１、左側が上蓋部２、右側が収納部３である。
【０００８】
下蓋部１の上蓋部２寄りには、開封部９が設けられている。この開封部９は、２条のミシン目や切れ目に挟まれた帯状部分で、これを中央から左右に引き剥すことで、下蓋部１を切断できるようにするものである。開封部９は必須のものではないが、ディスク４を収納した本ディスクケースを後述するようにして書籍や雑誌に綴じ込んだ場合、これを開封しやすくする上で設けることが好ましい。また、図１における開封部９は下蓋部１に設けられているが、これは上蓋部２に設けてもよい。
【０００９】
上蓋部２は、下蓋部１の一端に連接されていて、下蓋部１上へ折り返して重ねることができるものとなっている。図中１０ａが、上蓋部２を下蓋部１上へ折り返して重ねる時の折り返しラインである。また、上蓋部２のほぼ中央部には、円形の外窓１１ａが形成されている。
【００１０】
下蓋部１の他端には、収納部３が連接されている。この収納部３は、底辺側が下蓋部に連接された略三角形状をなす受け部５と、受け部５の一方の斜辺に連接された第１保持片６と、受け部５の他方の斜辺に連接された第２保持片７とを有している。また、収納部３は、折り返しライン１０ｂを介して下蓋部１上へ折り返すことができるものとなっている。
【００１１】
更にこの収納部３について説明する。
【００１２】
受け部５はディスク４が載置される部分で、その一方の斜辺に連接された第１保持片６は、折り返しライン１０ｃを介して受け部５上へ折り返されることで、受け部５上に載置されたディスク４に被さるものである。受け部５の他方の斜辺に連接された第２保持片７は、折り返しライン１０ｄを介して受け部５上へ折り返されるもので、受け部５上に折り返されてディスク４に被さった第１保持片６の上からディスク４に被さるものである。また、第２保持片７は、第１保持片６上からディスク４に被さった状態で、折り返しライン１０ｅを介してディスク４の下側に折り込まれる折り込み片８を有している。
【００１３】
後述するディスク４の収納手順からも明らかになるように、第１保持片６及び第２保持片７をディスク４に被せ、折り込み片８をディスク４の下側に折り込むと、ディスク４は、三方から折り返された第１保持片６、第２保持片７及び折り込み片８によって収納部３に保持される。つまり、このように組み立てられた収納部３からのディスク４の脱落は、折り返しライン１０ｃ，１０ｄ，１０ｅ部分にディスク４が当接することで防止されることになる。従って、組み立てられた収納部３内でのディスク４の遊びを抑える上で、折り返しライン１０ｃ，１０ｄ，は、受け部５上のディスク４の周縁とほぼ接していることが好ましく、折り返しライン１０ｄは、第２保持片７を受け部５上に折り返した状態において、受け部５上のディスク４の周縁とほぼ接する位置に設けられていることが好ましい。
【００１４】
受け部５には、後述するように収納部３を下蓋部１上に折り返し、更に上蓋部２を下蓋部１上に折り返した時に、前記上蓋部２の外窓１１ａとほぼ重なる円形の内窓１１ｂが設けられている。この外窓１１ａと内窓１１ｂは、収納されているディスク４（特に中央部ラベル部分）を外から確認することができるようにするためのもので、必須のものではないが、本ディスクケース内に収容されたディスク４の存在やその内容を外部から確認できるようにするために、設けることが好ましい。この外窓１１ａと内窓１１ｂは、同じ大きさの円孔として形成してもよいが、外窓１１ａと内窓１１ｂが正確に重なり合わなかった時にもそのずれが外から見えないようにするために、外窓１１ａより内窓１１ｂを若干大きくしておくことが好ましい。また、ディスク４が飛び出さない範囲で、両者の大きさや形状を相違したものとしたり、三角形、四角形、その他の形状とすることもできる。更に、外窓１１ａと内窓１１ｂの一方又は両者をプラスチックシートやフィルム等の透明材料で覆い、収納されるディスク４の保護を図ることもできる。
【００１５】
次に、図１〜図６に基づいて、本ディスクケースへのディスク４の収納手順を説明する。
【００１６】
まず、図１に一点鎖線で示されるような定められた位置にディスク４を置く。最も好ましいこの載置位置は、前述したように、ディスク４の周縁が折り返しライン１０ｃ，１０ｄにほぼ接する位置である。外窓１１ａ及び内窓１１ｂを設けた場合、この載置位置は、ディスク４が内窓１１ｂをほぼ同心円状に覆う位置に定められる。
【００１７】
次に、図２に示されるように、第１保持片６を折り返しライン１０ｃを介して受け部５上へ折り返し、第１保持片６をディスク４に被せる。
【００１８】
第１保持片６をディスク４に被せた後、図３に示されるように、折り返しライン１０ｄを介して第２保持片７を受け部５上へ折り返し、ディスク４に被さった第１保持片６上から第２保持片７をディスク４に被せる。
【００１９】
更に、図４に示されるように、受け部５上へ折り返された第２保持片７の差し込み片８を、折り返しライン１０ｅを介してディスク４側へ折り返し、ディスク４の下側に差し込む。この状態とすることで、ディスク４は、第１保持片６、第２保持片７及び差し込み片８によって三方から囲まれ、収納部３に保持されることになる。また、第１保持片６の浮き上がりは第２保持片７が被さっていることによって押えられ、第２保持片７の浮き上がりは差し込み片８がディスク４の下側に差し込まれていることによって押えられる。
【００２０】
特に図４から明らかなように、ディスク４の脱落は、その周縁が折り返しライン１０ｃ，１０ｄ，１０ｅに当接することで防止されるもので、この各折り返しライン１０ｃ，１０ｄ，１０ｅがディスク４の周縁とほぼ接する位置にあると、保持したディスク４の遊びを防止することができる。尚、折り込み片８先端の弧状切り欠き部１２は、ディスク４の下側に折り込まれた折り込み片８が内窓１１ｂ（図１参照）内に突出してしまうのを防止するためのものである。
【００２１】
上記のようにディスク４を収納部３に保持させた後、図５に示されるように、収納部３全体を折り返しライン１０ｂを介して下蓋部１上へ折り返す。ディスク４は前記のように収納部３にしっかり保持されていることから、この収納部３全体の折り返し作業時にディスク４が脱落することはない。
【００２２】
収納部３を下蓋部１上へ折り返して図５に示される状態とした後、更に上蓋部２を下蓋部１上へ折り返して重ね、上蓋部２と下蓋部１の間に収納部３を挟み込む。この状態の平面図が図６（ａ）、概略正面図が図６（ｂ）である。この状態では、図５に示される上蓋部２の外窓１１ａと、収納部３の内窓１１ｂはほぼ重なり、外窓１１ａと内窓１１ｂを介して、収納されているディスク４を外から確認することができる。
【００２３】
図６（ａ）及び（ｂ）に示されるように、上蓋部２の自由端側を下蓋部１（収納部３）上に重ね、この自由端側の綴じ込み代１９を介して雑誌や書籍に綴じ込むことで、ディスク４の包み込みに特に接着剤を使用することなく、ディスク４を雑誌や書籍に付帯させることができる。雑誌や書籍への綴じ込みは、例えばアジロ綴や無線綴で行うことができる。また、綴じ込み代１９は、収納部３の第１保持片６、第２保持片７及び差し込み片８にかからないように設定されるものである。
【００２４】
上記のようにして雑誌や書籍に綴じ込まれた本ディスクケースの両側部は、上蓋部２と下蓋部１が重なり合っただけの状態で、接着剤もしくは粘着剤による封止は行われていない。しかし、側部から上蓋部２と下蓋部１の間に指等をこじ入れても、収納部３内のディスク４には第１保持片６及び第２保持片７が被さっており、差し込み片８によってこれらが外れないように押えられているため、ディスク４を抜き取ることはできない状態となっている。また、同様の理由から、持ち運び時のディスク４の脱落も生じる恐れがないものである。
【００２５】
一方、上記のようにして書籍や雑誌に綴じ込んだ本ディスクケースからのディスク４の取り出しは、図１に示されるような開封部９を設けておけば、この開封部９を引き剥して開封することで容易に行うことができる。
【００２６】
図７及び図８は収納部３の第２の例を示すもので、基本的には図１のディスクケースと同様であるが、受け部５の下蓋部１側に、切り込み１３を介して受け部５から押し出される押え片１４が形成されている点が相違している。この押え片１４は、図８に示されるように、図１〜図４と同様の手順で、第１保持片６及び第２保持片７をディスク４に被せ、折り込み片８をディスク４の下側に折り込んだ後に、第２保持片７上に被せられるものである。
【００２７】
上記押え片１４を設けておくと、第２保持片７が押え片１４でも押さえ付けられて浮き上がりにくくなるので、ディスク４の保持状態を更に安定させることができる。特に押え片１４の位置を差し込み片８の位置に合わせておくと、差し込み片８がディスク４の下側から抜け出しにくくなり、一層効果的である。
【００２８】
図９及び図１０は収納部３の第３の例を示すもので、折り返しライン１０ｃ，１０ｄの中間部に各々スリット１５，１５が形成されている点が図１のディスクケースと相違している。
【００２９】
ところで、ディスク４は、図示されるように、矩形の袋１６に入れてディスクケースに収納するのが一般的である。この場合、図１に示されるディスクケースでも大きな支障はないが、袋１６の一部が折り畳まれたりしわ寄せられやすい。これを防止する上では、図示されるようなスリット１５，１５を設け、折り返しライン１０ｃ，１０ｄを介しての第１保持片６及び第２保持片７の折り返しによって折り曲げられる袋１６のコーナー部を、スリット１５，１５に差し込んで、この折り返しから逃がすことができるようにしておくことが好ましい。
【００３０】
袋１６は、ディスク４を保護するためのもので、どのようなものでも差し支えないが、一般的には片面が透明なプラスチックフィルムで他面が不織布で構成されたものが用いられる。このプラスチックフィルムと不織布からなる袋に収容したディスク４を受け部５に載置する場合、内窓１１ｂからプラスチックフィルムを介してディスク４を確認できるよう、プラスチックフィルム側を受け部５と向き合わせて載置することになる。
【００３１】
図１１及び図１２は収納部の第４の例を示すもので、折り返しライン１０ｃ，１０ｄが、受け部５上に載置されたディスク４の周縁部と交差する位置を通っており、このディスク４の周縁部との交差領域において、ディスク４の周縁に沿った、外方に凸形状の円弧状のスリット１５，１５が形成されている点が図１のディスクケースと相違している。
【００３２】
上記円弧状のスリット１５，１５を設けておくと、ディスク４をこの円弧状のスリット１５，１５に沿った図１１の位置に載置し、第１保持片６及び第２保持片７を折り返してディスク４に被せると、図１２に示されるように、自動的にディスク４の周縁部がスリット１５，１５に差し込まれ、保持された状態とすることができる。第１保持片６及び第２保持片７の折り返しによって自動的にディスク４が差し込まれた状態を得ることができるスリット１５，１５は、折り返しライン１０ｃ，１０ｄとディスク４周縁部との交差領域に設けられる外方に凸形状のものであれば、図１３及び図１４に示されるようなコ字形や図１５及び図１６に示される鉤形のスリット１５，１５であってもよい。また、これらのスリット１５，１５は、図９及び図１０で説明したスリット１５，１５と同様に、袋１６に入れてディスクを収納する場合に、袋１６のコーナー部を折り返しから逃がすものとしても機能する。
【００３３】
本発明に係るディスクケースは、これまで説明したような１枚のディスク４を収納するもののみではなく、複数枚のディスク４を収納できるものとすることができる。例えば、図１７に示されるように、１つの下蓋部１に対して２つの収納部３が並列して夫々連接すれば、同時に２枚のディスクを収納できるディスクケースとすることができる。また、図１７に示されるディスクケースは図１に示されるディスクケースの収納部３を２つ設けたものとなっているが、他の例の収納部３を２つ設けたものとすることもでき、更には３つ以上の収納部３を設けたものとすることもできる。
【００３４】
尚、図７〜図１７において、図１と同じ符号は同じ部材又は部位を示すものである。
【００３５】
以上の各例は、いずれも雑誌や書籍に綴じ込む場合に便利なものであるが、本発明のディスクケースはこのような綴じ込み用だけでなく、通常の保護ケースとしても応用することができる。この場合、間に収納部３を挟んで重ね合わされた下蓋部１と上蓋部２が開いてしまわないよう、両者間を止める蓋止め手段を設けることが好ましい。この蓋止め手段としては、例えば図１８に示されるように、上蓋部２に設けた舌片１７と、下蓋部１に設けた差し込み口１８を用いることができる。舌片１７を差し込み口１８に差し込んでおくことで、下蓋部１と上蓋部２が開いてしまうのを防止することができる。
【００３６】
【発明の効果】
本発明は、以上説明した通りのものであり、次の効果を奏するものである。
【００３７】
（１）接着剤による封止を行うことなくディスク４を収納できるので、ディスク４の収納に際して接着剤の塗布工程が不要であり、収納作業が容易である。
【００３８】
（２）ディスク４は第１保持片６及び第２保持片７が被さり、更に差し込み片８で止められた状態で収納部３内にしっかり保持されるので、持ち運び時のディスク４の脱落や書店店頭でのディスク４の抜き取りを確実に防止することができる。
【００３９】
（３）むき出しのディスク４であるか袋１６入りのディスク４であるかを問わず、簡単かつ確実に収納することができる。
【００４０】
（４）受け部５に押え片１４を設けておくと、ディスク４の保持状態を更に安定させることができる。
【００４１】
（５）受け部５と第１保持片６及び第２保持片７との境界部分に、ディスク４の周縁部が差し込まれるスリット１５，１５を設けておくと、このスリット１５，１５によってもディスク４を保持することができ、ディスク４の遊びを防止しやすくなる。
【００４２】
（６）複数の収納部３を連接することで、一度に複数のディスク４を収納できるディスクケースとすることもできる。
【００４３】
（７）容易に通常の保護ケースとしても利用できる。
【図面の簡単な説明】
【図１】本発明に係るディスクケースの一例を示す展開平面図である。
【図２】図１の状態から第１保持片を受け部上へ折り返した状態を示す図である。
【図３】図２の状態から第２保持片を保持部上へ折り返した状態を示す図である。
【図４】図３の状態から差し込み片をディスクの下側へ差し込んだ状態を示す図である。
【図５】図４の状態から収納部全体を下蓋部上へ折り返した状態を示す図である。
【図６】図５の状態から上蓋部を下蓋部上へ折り返した状態を示す図である。
【図７】収納部の第２の例を示す展開平面図である。
【図８】図７の収納部を図２〜図４に相当する状態を経て組み立て、更に押え片を第２保持片上に被せた状態を示す図である。
【図９】収納部の第３の例を示す展開平面図である。
【図１０】図９の収納部を図２〜図４に相当する状態を経て組み立てた状態を示す図である。
【図１１】収納部の第４の例を示す展開平面図である。
【図１２】図１１の収納部を図２〜図４に相当する状態を経て組み立てた状態を示す図である。
【図１３】コ字形のスリットを設けた収納部を示す展開平面図である。
【図１４】図１３の収納部を図２〜図４に相当する状態を経て組み立てた状態を示す図である。
【図１５】鉤形のスリットを設けた収納部を示す展開平面図である。
【図１６】図１５の収納部を図２〜図４に相当する状態を経て組み立てた状態を示す図である。
【図１７】複数の収納部を有するディスクケースの一例を示す展開平面図である。
【図１８】蓋止め手段の一例を示す図である。
【符号の説明】
１      下蓋部
２      上蓋部
３      収納部
４      ディスク
５      受け部
６      第１保持片
７      第２保持片
８      差し込み片
９      開封部
１０ａ  折り返しライン
１０ｂ  折り返しライン
１０ｃ  折り返しライン
１０ｄ  折り返しライン
１０ｅ  折り返しライン
１１ａ  外窓
１１ｂ  内窓
１２    弧状切り欠き部
１３    切り込み
１４    押え片
１５    スリット
１６    袋
１７    舌片
１８    差し込み口
１９    綴じ込み代
【図１】
0003670433.tif 000002
【図２】
0003670433.tif 000003
【図３】
0003670433.tif 000004
【図４】
0003670433.tif 000005
【図５】
0003670433.tif 000006
【図６】
0003670433.tif 000007
【図７】
0003670433.tif 000008
【図８】
0003670433.tif 000009
【図９】
0003670433.tif 000010
【図１０】
0003670433.tif 000011
【図１１】
0003670433.tif 000012
【図１２】
0003670433.tif 000013
【図１３】
0003670433.tif 000014
【図１４】
0003670433.tif 000015
【図１５】
0003670433.tif 000016
【図１６】
0003670433.tif 000017
【図１７】
0003670433.tif 000018
【図１８】
0003670433.tif 000019